(57)【要約】特別な包装（１回或いは２回のねじり包装、外囲包装、集群包装）として物品（２２）を包装するためのモジュール型装置（１００）は、部分的に包装された物品（２４）を他の装置（５０）から所定の位置に受容するように配置された受容部（１１０）および所望の特別な包装を形成する特別包装組立体（１３０）を有する。２回のねじり包装のためには、ねじり包装組立体は、筒状に包装された物品の端部を把持する回転可能なねじり把持部（１３２）を有するとともに、ねじり把持部を駆動するねじり包装ドラムおよびゼネバホイール（１８０）を含む。モジュール型装置は、フィルムが物品（２２）の周囲に筒状の包装（１６）が形成される第１の部分と、この筒状の包装（１６）が、２つの連続する物品（２２）の間で切断される切断封止部（５５）とを有する流れ包装梱包ライン（５０）に使用される。モジュール型装置は、流れ包装ラインから取り外し可能としてもよいが、特別な包装のない流れ包装梱包ラインを使用できるように作動を停止することができる。
2004504234.tif 000002
【特許請求の範囲】
【請求項１】
部分的に包装された物品を他の装置から所定の位置に受容するよう配置された受容部と、
前記部分的に包装された物品のために特別な包装を形成するように適合した少なくとも１セットの要素を有する特別包装組立体とを備えるモジュール型特別包装装置。
【請求項２】
前記部分的に包装された物品が筒状に包装された物品であり、前記受容部が切断封止装置から前記部分的に包装された物品を受容し、該部分的に包装された物品を前記所定位置に移動するよう構成されていることを特徴とする請求項１記載の装置。
【請求項３】
前記特別包装組立体がねじり包装組立体であり、前記少なくとも１セットの要素が、前記部分的に包装された物品の端部を把持するとともに、該端部をねじってねじり包装された物品を形成する回転可能なねじり把持部を有することを特徴とする請求項１記載の装置。
【請求項４】
前記受容部が、前記部分的に包装された物品を回転して、該部分的に包装された物品の再方向付けをしている間、前記切断封止装置から前記特別に包装された物品を受容し、該特別に包装された物品を前記所定位置に移動するよう構成された搬送回転組立体を含むことを特徴とする請求項３記載の装置。
【請求項５】
前記搬送回転組立体が、第１のドラム軸の周囲で回転可能なドラム、該ドラムの外周面に取り付けられた、前記第１のドラム軸に垂直な第２の軸の周囲で回転可能な少なくとも１つの製品把持部、および前記ドラムが前記第１のドラム軸の周囲に回転している間に、前記製品把持部を前記第２の軸の周囲に９０°回転させる駆動組立体を含むことを特徴とする請求項３記載の装置。
【請求項６】
前記ねじり包装組立体がねじり包装ドラムを含むとともに、前記ねじり把持部を駆動するゼネバホイールを含むことを特徴とする請求項３記載の装置。
【請求項７】
前記ゼネバホイールが、前記ねじり把持部が前記部分的に把持された物品を把持した直後に前記ねじり把持部の回転開始を引き起こすとともに、該ねじり把持部を、ねじり包装を達成するのに十分な所定の角度に亘って回転を継続させて、次に停止させることを特徴とする請求項６記載の装置。
【請求項８】
前記ねじり把持部が、前記部分的に包装された物品が前記所定の位置に受容されると、前記部分的に包装された物品上に閉じ、前記ねじり包装された物品が前記ねじり包装組立体から搬送されると、前記ねじり包装された物品を開放するために開くことを特徴とする請求項６記載の装置。
【請求項９】
前記ねじり包装された物品が前記ねじり包装組立体によって開放される時に、該ねじり包装組立体から前記ねじり包装された物品を受容するために位置している排出ドラムをさらに有することを特徴とする請求項８記載の装置。
【請求項１０】
物品の周囲にフィルムが筒状に形成される第１の部分と、
連続する２つの物品の各々の間で前記筒状の包装が切断される切断封止部と、
他の装置から筒状に包装された物品を所定の位置に受容するために構成された受容部および筒状に包装された物品として特別な包装を形成する少なくとも１セットの要素を有する取り外し可能な特別包装部とを備え、
前記切断封止部が、前記筒状の包装も切断されて物品の包装が完了する第１のモードで作動可能であるとともに、前記筒状の包装は切断されるが封止されない第２のモードで作動可能であることを特徴とする一連の個々の物品を包装するための流れ包装梱包ライン。
【請求項１１】
前記取り外し可能な特別包装部が、取り外し可能なねじり包装部であり、前記特別包装組立体が前記筒状に包装された物品の両端を把持して該両端をねじってねじり包装された物品を形成する回転可能な把持部を有するねじり包装組立体であることを特徴とする請求項１０記載の梱包ライン。
【請求項１２】
前記梱包ラインの前記部分の動作を制御する、位置決め信号とエンコーダ信号を含む制御信号を生成するコントロールユニットをさらに有し、前記ねじり包装部が前記位置決め信号および前記エンコーダ信号を受信するために接続可能な信号線を有することを特徴とする請求項１１記載の梱包ライン。
【請求項１３】
他の装置から筒状に包装された物品を所定の位置に受容するよう配置された受容部、および
前記筒状に包装された物品の両端を把持して該両端をねじってねじり包装された物品を形成する回転可能なねじり把持部を有するとともにねじり包装ドラムを含み、且つ前記ねじり把持部を駆動するゼネバホイールを含むねじり包装組立体を備えることを特徴とするねじり包装装置。
【請求項１４】
前記ゼネバホイールが、前記筒状に包装された物品を前記ねじり把持部が把持した直後に前記ねじり把持部の回転の開始を引き起こすとともに、前記ねじり把持部をねじり包装を行うのに十分なだけ所定の範囲に亘って回転を継続させて、次に停止させることを特徴とする請求項１３記載の装置。
【発明の詳細な説明】
【０００１】
発明の背景
１．発明の分野
本発明は、一般的に物品を包装する装置および方法に関し、特に１回或いは２回のねじり包装、外囲包装（ｅｎｖｅｌｏｐｅ ｗｒａｐ）、集群包装（ｂｕｎｃｈ ｗｒａｐ）或いは変形型の外囲包装の如き包装を組み込んだ態様で、棒状菓子或いは他の食品のような物品を包装するのに有用な装置および方法に関する。本発明は、ヒートシール法或いはコールドシール接着剤のいずれかにより実施される包装に適用できる。
【０００２】
２．関連する従来技術
棒状菓子の大部分は、所望の包装用工芸作品、ロゴ等が印刷された包装材料のフィルムで包装され、封止されて梱包される。このような包装は、次のような方法で一般的に形成される。連続した包装材料のフィルムに、アートワーク等が印刷される（これは、食品の包装業者でなく、フィルムのベンダーによって一般的になされる）。実際の包装の工程では、個々の製品は、フィルムのアートワークと位置合わせして並ぶように適切な見当合わせをされてフィルムに配置される。フィルムは、製品１２の周囲に包装され、連続的な継ぎ目１４として封止されて、筒形状１６を形成する（図２参照）。次に、この筒１６は、正確な位置で部分に切断されて、各々に１つの製品が収容される個別の筒形のフィルム状の部分が形成される。次に、これらの各々の両端は、ヒートシール法或いは、コールドシール接着剤によって封止されて、通常の包装された物品２０の形成が完了する（図１参照）。一般的に、切断および封止は、切断封止（ｃｕｔ−ａｎｄ−ｓｅａｌ）として知られる機構により同時に行われる。これらの手法は、従来の「流れ包装（ｆｌｏｗ ｗｒａｐ）」法としてここに引用されている。
【０００３】
キャンディのような食品用の包装の他の形態は、個々の製品の単品を製品の周囲に包装されるフィルムで、筒状に各端部をねじって包装することを含む（図３の３０参照）。この方法で包装された小さな固いキャンディもまた、普通の製品である。（この２回ねじり包装とは異なって、様々なねじり包装手法が、棒つきキャンディの如き他の製品には使用される。様々な食品に有用な他の包装方法の形式は、外囲包装、集群包装および変形型外囲包装である。これらの包装方法は当業者によって十分理解されており、２回ねじり包装とともに、ここでは、「特別な包装」或いは「特別な包装方法」と称する。）
２回ねじり包装された棒状菓子の如き製品を包装することができる装置および方法を提供することが好ましい。棒状の菓子に使用される形式の標準的な流れ包装ラインに使用することができるモジュール型装置を提供して、連続流れ包装ラインが必要に応じて２回ねじり包装製品３０あるいは、包装の両端が平形に封止された通常の包装２０で包装された製品のいずれかを製造できることが特に好ましい。
【０００４】
加えて、集群包装、１回のねじり包装、外囲包装、外囲包装の変形を含む上述した１つ或いは他の特別な包装方法で棒状菓子を包装するのに用いられる型式の標準的な連続した流れ包装ラインを用いて、流れ包装ラインをこのような特別な包装を用いて包装された製品を製造するか、或いは包装の両端が平形に封止された普通の包装のいずれかを必要に応じて使用することができるモジュール型装置を提供することが好ましい。
【０００５】
発明の概要
従って、本発明の目的は、物品の２回ひねり包装の包みを確実且つ高速で形成する方法を可能とする装置を提供することである。
【０００６】
本発明の他の目的は、ねじり包装（或いは他の特別な包装）用の流れ包装ラインに取り付けることができ、ラインが標準的な連続した流れ包装に用いられるときに使用をやめることができるような装置を提供することである。
【０００７】
本発明のさらに他の目的は、ねじり包装を確実に行うことができ、そしてそのために必要な時にのみ作動し、且つ１つのねじり包装を形成した後と、機構によって他のねじり包装の開始との間に作動を停止するねじり包装機構を有する２回ねじり包装装置を提供することである。
【０００８】
本発明によれば、これらの目的は、他の装置から部分的に包装された物品、例えば、筒状に包装された物品を所定の位置に受容するよう構成された受容部と、所望の特別な包装を形成する特別包装組立体とを備えるモジュール型特別包装装置を提供することによって実現される。２回ねじり包装用の特別な包装組立体は、部分的に包装された物品の両端を把持して、この両端をねじってねじり包装された物品を形成する回転可能なねじり把持部を有する。
【０００９】
本発明の他の態様によれば、これらの目的は、物品の周囲にフィルムが筒状に形成される第１の部分と、２つの連続する物品の各々の間で前記筒状の包装が切断される切断封止部と、取付可能であるが、少なくとも特別な包装のない流れ包装梱包ラインの使用を可能にするために使用をやめることが可能なねじり包装部或いは他の特別包装部（ｓｐｅｃｉａｌ−ｗｒａｐ ｓｅｃｔｉｏｎ）とを備える一連の個々の物品を包装するための流れ包装梱包ラインを提供することによって実現される。この切断封止部は、筒状の包装も封止されて物品の包装が完了する第１のモードおよび筒状の包装は切断されるが封止されない第２のモードで作動可能である。特別包装部は、他の装置（即ち封止切断部）から筒状に包装された物品を所定の位置に受容するために配置された受容部および所望の特別な包装を形成する部分を有する。ねじり包装の場合、特別包装部は、筒状に包装された物品の端部を把持し、この端部をねじってねじり包装された物品を形成する回転可能な把持部を有する。
【００１０】
本発明の別の態様によれば、これらの目的は、他の装置から筒状に包装された物品を所定の位置に受容するよう構成された受容部およびねじり包装組立体（ａ ｔｗｉｓｔ−ｗｒａｐ ａｓｓｅｍｂｌｙ）を有するねじり包装装置を提供することによって達成される。ねじり包装組立体は、筒状に包装された物品の両端を把持してこの両端をねじってねじり包装された物品を形成する回転可能なねじり把持部を有するとともに、ねじり包装ドラム（ａ ｔｗｉｓｔ−ｗｒａｐ ｄｒｕｍ）およびねじり把持部を駆動するゼネバホイールを含む。
【００１１】
本発明の他の態様および利点は、添付図面を参照するとともに、好ましい実施形態についての以下の詳細な説明により一層十分に理解されよう
好ましい実施形態の詳細な説明
図４は、本発明の好ましい実施形態のモジュール型ねじり包装装置１００を、従来の連続流れ包装梱包ライン５０（部分的にのみ示す）とともに概略的に示す。（ここに請求するモジュール型装置と従来の梱包ラインとの組合せは、本発明の範囲内であるけれども）良く知られた従来のラインの詳細は、図示や説明をしない、またそれ自体本発明の一部を構成するものではない。
【００１２】
図１は、従来の形式の流れ包装梱包法により得られる棒状菓子の包装２０の良く知られた形状を示す。従来の方法では、包装されている製品１２は、通常、予めアートワーク、ロゴ、製品名等が印刷された既知の構成の連続したフィルム上に配置される。フィルムの両側は合わされて溶着或いは接着されて継ぎ目１４が形成され、図２に示すように、包装された物品１２を含む筒状体１６が形成される。従来の方法では、筒状体は、次に各々が１つの製品を含む部分に分割され各部分の端部は溶着されるか接着されて閉じられ、このようにして図１に示す形状が形成される。これらの従来の製造工程は、それらを実施する装置のように、技術的に周知であるので、詳細には説明しない。
【００１３】
好ましい実施形態のモジュール型ねじり包装装置１００が標準的な連続流れ包装ライン５０に取り付けて使用されるとき、後者の工程は部分的な修正がなされる。第１に、包装の各端部が平坦な継ぎ目であるよりもねじり包装を形成する方が好ましいので、フィルムに接着剤を付着させることを変えなければならない（包装の両端に形成されるひねりは、ヒートシール或いはコールド接着のいずれかを含む有効な任意の方法でなされても良い）。第２に、切断封止部５５（図２に示す筒状体１６を個別の部分に切断し、次に、その端部を封止する標準的な連続流れ包装ラインの構成要素）は、切断のみを行なうために設置され、個々の包装の端部を封止することはしない。第３に、標準的なラインの制御に使用される位置決め信号（ｒｅｇｉｓｔｒａｔｉｏｎ ｓｉｇｎａｌ）およびエンコーダ信号が、モジュール型ねじり包装装置に提供される。好ましい実施形態によれば、標準的なラインからモジュール型ねじり包装装置に提供する必要があるのは制御信号のみである。
【００１４】
モジュール型ねじり包装装置の機能の概要
モジュール型ねじり包装装置１００は、切断封止部５５の上部棚５７から個別の「製品包装」２４（即ち、筒１６から切断され、単一の包装内に梱包される製品を含む区分）内に筒状製品を受容する。３つのドラム１１０、１３０および１５０が、ねじり包装装置内に設けられ、製品に次の作業を行う。
【００１５】
第１のドラム１１０は搬送回転ドラム（図５および図９も参照）であり、製品２４を切断封止部５５から製品把持部１１２（図５）に受容する。製品２４が搬送回転ドラム１１０の回転により第２のドラム１３０に搬送される間、製品把持部１１２それ自体は、製品の向きを９０°変えるために回転される（図８および図９参照）。その結果、製品２４は、製品の「包装」の開放端が第２のドラムの回転軸に平行な線内に延びた状態で第２のドラム１３０に移送される（これは図４に概略示されており、製品２４が切断封止部にある間側部から視認される部分は、第１のドラム１１０上で回転し、ドラム１３０上にある間、先端をこちらに向けている。）
第２のドラム１３０は、実際のねじり包装が行われる場所である。このために、（搬送回転ドラム１１０上のものと同様な）製品把持部１１２によって保持された製品２４は、ねじり把持部１３２により各端部が把持される（図６参照）が、ねじり把持部１３２は、一旦、製品がねじり包装ドラム１３０上の製品把持部１１２によって確実に受容されると、「筒」上に閉じるように時間が決められている。次に、ねじり把持部１３２は、ねじり包装ドラム１３０自体が回転している間、（ドラム１３０の軸と平行な）それ自体の軸の周りに７２０°の角度に亘って回転する。この態様で加えられた力は、「筒」の両端を所望のねじり形状にねじり、そして接着剤が包装を封止する。次に、ねじり把持部１３２は拡開し、製品３０（ねじり包装されているので「２４」ではなく「３０」）は第３のドラム１５０即ち排出ドラムに移送される。
【００１６】
排出ドラム１５０は、ねじり包装ドラム１３０から包装された製品３０を受容し、所望の排出地点に製品３０を供給し、通常の方法で排出するという機能を有する。
【００１７】
搬送回転ドラム
図５に示すように、搬送回転ドラム１１０は、その外周に設けられた１２個の製品把持部１１２を有する。製品把持部１１２は、上面に真空工具を有する基部即ちヘッド１１４を有し、この表面は矩形として示されているが、当該個々の製品に対処するのに有利と考えられる任意の形状とすることができる。１つ以上のポート１１６（１つのみを示す）は、製品把持部１１２のヘッド１１４の上面に設けられて、ドラムの内部から吸引を適用することを可能にし、製品把持部１１２に対して製品および包装を確実に保持する。好ましい実施形態において、製品把持部１１２は、３つの直線ロッド即ち指１１８を有し、この指の２つがヘッド１１４の一側に沿い、そして１つが反対側にある。これらのロッド１１８は、真空吸引と協働して、それらが互いに接近して製品を把持して確保する閉鎖位置と、それらが互いに外方に移動して製品から離隔する開放位置の間を各々移動可能である。ドラムの内の１つの所定位置にあるこのような製品把持部１１２’および１１２”の追加の図が図１０および図１２に与えられている。これらの種類の製品把持部１１２’、１１２”は、指即ちロッド１１８’、１１８”の形状のような多数の細部が図５に示す形状と異なっている。
【００１８】
搬送回転ドラム１１０の横、即ち１２個の製品把持部１１２が取り付けられている外周面は、実質的に同じ寸法の１２の平面１２０からなっている。各製品把持部１１２は、それが取り付けられている平面１２０上で回転可能に取り付けられており、回転は製品把持部１１２を通過し、且つ搬送回転ドラム１１０自体の軸を通過する軸の周りでなされる。
【００１９】
搬送回転ドラム１１０上の空の製品把持部１１２が、切断封止部５０（図７および図８）の上部棚５５を通過する際、切断封止部の上部棚５５の製品２４を保持している製品把持部１１２が動作を停止している間、製品把持部１１２に真空吸引が働く。これにより製品２４は切断封止部５０から開放され、搬送回転ドラム１１０の製品把持部１１２に移送される。製品把持部１１２のロッド１１８は、それらの閉鎖位置に移動して、製品２４を製品把持部１１２に保持するとともにその方向付けを行う。ドラム１１０がその軸の周りに回転して、ねじり包装ドラム１３０に向けて製品２４を進めると、製品把持部１１２それ自体は、製品２４を再度方向付けするように回転する（図８−図１０参照）。好ましい実施形態においては、製品把持部１１２は、製品「筒」２４の開放端がドラム軸に平行な線に沿うように９０°回転する。製品把持部のこの回転は、ドラム１１０が２４０°回転する間になされる。製品２４は、いま、ねじり包装ドラム１３０に搬送されるべく適切な場所および向きにある。
【００２０】
ねじり包装ドラム１３０への搬送は、製品把持部１１２の、開位置に移動しているロッド１１８によってなされ、次に真空吸着が解除されて、製品２４をねじり包装ドラム１３０の同じ製品把持部１１２へと開放する。同時に、真空吸着は、製品をねじり包装ドラム１３０に受容している製品把持部１１２によって製品２４に適用され、そして、受容している製品把持部１１２のロッド１１８は、製品２４を確保するために閉じて搬送が完了する。（ねじり包装ドラム１３０の作動についての説明の残りは以下の項目に述べる。）搬送回転ドラム１１０が次の１２０°の回転を継続すると、現在、空の製品把持部１１２は、最初の方向に回転して復帰し、切断封止部５０が再度到着すると製品を受容するよう準備がなされる。
【００２１】
製品把持部１１２上のロッド１１８の開閉は、正面カムの配置により制御されるが、製品を再度方向付けするための製品把持部１１２の回転は筒形カムの配置によってなされる。これらの技法は技術的によく理解されているので、それらの詳細な説明は必要としない。
【００２２】
ねじり包装ドラム
ねじり包装ドラム１３０は、図６に最もよく見えるように、内側ドラム１３６と外側ドラム１３８の間に配置された中心ドラム１３４を実質的に含み、それら３つのドラムは全て同じ速度で回転するように駆動される。中心ドラム１３４は、その側部即ち外周面に１２個の製品把持部１１２を有し、これらの製品把持部は搬送回転ドラム１１０のものと同じであるが、それ自体の軸の周りには回転できない。結果として、製品は、それがねじり包装ドラム１３０上にあるときは常に同じ方向のままである。
【００２３】
内側ドラム１３６および外側ドラム１３８の各々は、１２個のねじり把持部１３２を有し、各々は中心ドラム１３４の製品把持部１１２と隣接している。各ねじり把持部１３２は、開閉することができる１対の顎１４０を有し、顎は、ねじり把持部自体の、（ねじり包装ドラム１３０の軸に平行な）軸の周りに回転するよう保持されている。ねじり把持部１３２のハウジング１４２および１４４は、全て同じとは限らず、１つのねじり把持部１３２を有するものもあり、２つのねじり把持部１３２を有するものもある。さらに、ポスト１４６は、中心ドラム１３４を横断して延出し、これら大きなハウジング１４４を連結している。これら２つのハウジング１４４およびポスト１４６の目的は、内側ドラム１３６からの駆動力を技術的に周知の手法を用いて外側ドラム１３８に提供することである。
【００２４】
好ましい実施形態においては、ねじり把持部１３２は、常に回転しているわけではなく、所望のねじり包装をするのに必要な量と時間だけ回転する。この為に、図１１および図１４Ａ−１４Ｊに詳細を示したゼネバホイール機構１８０によって駆動される。このような機構の１つは、２４個のねじり把持部１３２の各々に設けられており、関連するねじり把持部１３２の一端に位置している。加えて、内側ドラム１３６および外側ドラム１３８の各々は、ディスク１８２を有し（図１４Ａ参照）、このディスク１８２には、ラジアルギヤラック１８４が、ラジアルギヤラック１８４の始めと終わりに夫々ある２つのピン、即ち加速ピン１８６、減速ピン１８８とともに取り付けられている。これらの２つのディスク１８２は、ねじり包装ドラム１３０の回転の間静止している。各ゼネバホイール機構１８０は、ドラム１３６或いは１３８上にゼネバホイール機構１８０を円滑に運ぶマウンティング１７０が設けられている。
【００２５】
ディスク１８２と同軸に取り付けられているのは、各ねじり把持部１３２のための回転可能なアーム１９０であり、このアームの半径方向の外側端部には小歯車１９２があり、作動時にはラジアルギヤラック１８４に沿って乗り上げるとともにそれと係合する。カム通路１９４は歯車１９２に固定され、歯車１９２がラジアルギヤラック１８４に沿って移動すると回転が生じる。これらのカム通路は、加速ピン１８６および減速ピン１８８に係合する部分を夫々有する。ねじり包装ドラム１３０の回転の間、カム通路１９４の各々は、加速ピン１８６に順次係合し、そして、次に関連する歯車１９２は、ギヤラック１８４に係合するとともにそれに沿って乗り、ねじり把持部１３２を駆動し、後者を７２０°回転させて、製品の「包装」の端部をねじってねじり包装を形成する。ねじり包装の形成は湾曲板１９６（図１１および図１３に示す）によって支援され、ねじり把持部１３２がねじる際に、製品把持部１１２に対して所定の位置に製品を保持するのに役立つ。
【００２６】
運転においては、ねじり包装ドラム１３０の製品把持部１１２が搬送回転ドラム１１０からの製品２４を確保するとき、製品把持部１１２近傍のねじり把持部１３２は、閉位置に移動して製品の「包装」端部を把持する。ねじり包装が形成された後、ねじり把持部１３２は拡開し、ねじり包装製品３０は、排出ドラム１５０に搬送される状態となる。ねじり把持部１３２の開閉は、筒形カムによってなされる。このタイミングはゼネバホイール１８０自体のインデクシングによって制御され、このように、ねじり把持部１３２がねじりの開始前に、製品の「包装」と係合し且つ確実に把持することを保証する。再び、これらのカムの配置の詳細は、これらの技術の通常のレベル内にあるので、さらに説明することを要しない。
【００２７】
排出ドラム
排出ドラム１５０には、他の２つのドラム１１０および１３０の製品把持部と同様な１２個の製品把持部１１２が設けられている（しかし、搬送回転ドラム１１０のものとは異なり、それ自体は回転のために取り付けられてはいない）。ねじり包装ドラム１３０から排出ドラム１５０への製品３０の搬送は、搬送回転ドラム１１０からねじり包装ドラム１３０までのものと同じ態様でなされているので詳細は説明しない。
【００２８】
本発明は、当業者が本発明を製造し実施することができるのに十分な細部を含み、且つ発明者が現在、本発明の実施のベストモード（もしあれば）と考えるものを含んで、その好ましい実施形態を参照して説明された。それにも拘わらず、多くの変形、変更が当業者にとって可能であることは明白であろう、そして本発明の範囲は、前述の説明の細部によって限定されるものではなく、請求の範囲の限定によってのみ限定されるものである。
【図面の簡単な説明】
【図１】図４に部分的に示すような従来の連続流れ包装梱包ラインによって包装された製品の図
【図２】シート状フィルムの包装内の製品としての２つの物品を示し、この包装は、従来の流れ包装工程において、個々の包装の切断封止前に、製品の周囲に折り畳まれ、継ぎ目が閉じられて製品を収容する筒形状に形成されている
【図３】本発明のねじり包装装置を用いて包装された製品を示す
【図４】従来の連続流れ包装梱包ラインに取り付けられた、本発明の好ましい実施形態によるねじり包装装置を示す概略図
【図５】好ましい実施形態によるモジュール型ねじり包装装置の正面
【図６】図５に示す実施形態の第２のドラムの詳細を示すとともに、２重ねじり包装を行なうために使用される何組かのねじり把持部を示す
【図７】図３に示すようなねじり包装製品を製造する好ましい実施形態を使用する工程を示し、特に、切断封止装置から好ましい実施形態への物品の搬送を示す
【図８】図３に示すようなねじり包装製品を製造する好ましい実施形態を使用する工程を示し、特に第１のドラム上の物品の回転を示す
【図９】図３に示すようなねじり包装製品を製造する好ましい実施形態を使用する工程を示し、特に第１のドラム上の物品の回転を示す
【図１０】図３に示すようなねじり包装製品を製造する好ましい実施形態を使用する工程を示し、特に第１のドラム上の物品の回転を示す
【図１１】好ましい実施形態の第２のドラムの構造の更なる詳細を示し、特に、この実施形態に使用されるゼネバホイールを示す
【図１２】好ましい実施形態の３つの全てのドラムに使用される製品把持部の１つの形態を示す
【図１３】図３に示すようなねじり包装製品を製造する好ましい実施形態を使用する工程を示し、特に、第２のドラムから好ましい実施形態の第３のドラムへのねじり包装された物品の搬送を示す
【図１４Ａ】好ましい実施形態において使用されるゼネバホイールの作動を示す連続した図
【図１４Ｂ】好ましい実施形態において使用されるゼネバホイールの作動を示す連続した図
【図１４Ｃ】好ましい実施形態において使用されるゼネバホイールの作動を示す連続した図
【図１４Ｄ】好ましい実施形態において使用されるゼネバホイールの作動を示す連続した図
【図１４Ｅ】好ましい実施形態において使用されるゼネバホイールの作動を示す連続した図
【図１４Ｆ】好ましい実施形態において使用されるゼネバホイールの作動を示す連続した図
【図１４Ｇ】好ましい実施形態において使用されるゼネバホイールの作動を示す連続した図
【図１４Ｈ】好ましい実施形態において使用されるゼネバホイールの作動を示す連続した図
【図１４Ｉ】好ましい実施形態において使用されるゼネバホイールの作動を示す連続した図
【図１４Ｊ】好ましい実施形態において使用されるゼネバホイールの作動を示す連続した図
【国際公開パンフレット】
2004504234.tif 000003
2004504234.tif 000004
2004504234.tif 000005
2004504234.tif 000006
2004504234.tif 000007
2004504234.tif 000008
2004504234.tif 000009
2004504234.tif 000010
2004504234.tif 000011
2004504234.tif 000012
2004504234.tif 000013
2004504234.tif 000014
2004504234.tif 000015
2004504234.tif 000016
2004504234.tif 000017
2004504234.tif 000018
2004504234.tif 000019
2004504234.tif 000020
2004504234.tif 000021
2004504234.tif 000022
2004504234.tif 000023
2004504234.tif 000024
2004504234.tif 000025
2004504234.tif 000026
2004504234.tif 000027
2004504234.tif 000028
2004504234.tif 000029
2004504234.tif 000030
2004504234.tif 000031
2004504234.tif 000032
2004504234.tif 000033
2004504234.tif 000034
2004504234.tif 000035
2004504234.tif 000036
2004504234.tif 000037
2004504234.tif 000038
2004504234.tif 000039
2004504234.tif 000040
【国際調査報告】
2004504234.tif 000041
2004504234.tif 000042
2004504234.tif 000043